(57)【要約】【課題】  挟み体相互の吸引作用で被挟み物を確実に密閉状態に挟み得る挟み具の提供。【解決手段】  被挟み物Ｂを挟む一対の挟み体１０からなり、この挟み体１０が互いに向き合って吸引し合う挟み面２０ａに順次に極性を異ならした複数の磁極を連続状態に備えたプラスチック磁石製プレート部２０と該挟み体１０の少なくとも一方を挟み面２０ａ間に被挟み物Ｂを挟み入れて磁極の連続する向きの一方向に向けて移動した際に互いに突き当たる突き当たり部３０とを備えており、この互いの突き当たり部３０の突き当たり状態において該対をなす一方の挟み体１０の挟み面２０ａの各磁極の極性と該磁極にそれぞれ向き合う他方の挟み体１０の挟み面２０ａの磁極の極性とが異なるように構成してある。【選択図】図４
2005335769.tif 000002
【特許請求の範囲】
【請求項１】
被挟み物を挟む一対の挟み体からなる挟み具であって、この挟み具を構成する対をなす挟み体が、互いに向き合って吸引し合う挟み面に順次に極性を異ならした複数の磁極を連続状態に備えたプラスチック磁石製プレート部と、この挟み体の少なくとも一方を前記挟み面間に被挟み物を挟み入れて前記磁極の連続する向きの一方向に向けて移動した際に互いに突き当たる突き当たり部とを備えており、
この互いの突き当たり部の突き当たり状態において該対をなす一方の挟み体の挟み面の各磁極の極性と該磁極にそれぞれ向き合う他方の挟み体の挟み面の磁極の極性とが異なるようにしてあることを特徴とする挟み具。
【請求項２】
前記挟み体が長尺状とされており、その一端側に第１突き当たり部を他端側に第２突き当たり部を備えていると共に該第１突き当たり部と第２突き当たり部との間が薄肉の長方体状をなすプラスチック磁石製プレート部としてあり該プラスチック磁石製プレート部における挟み面の長手方向に向けて順次に極性を異ならした複数の磁極が連続状態に備えられており、
しかも、前記第１突き当たり部が前記挟み面側に隆起する隆起肉部を備えた厚肉状部としてあると共に、前記プラスチック磁石製プレート部における前記第１突き当たり部と反対側端が第２突き当たり部としてあることを特徴とする請求項１に記載の挟み具。
【請求項３】
前記第１突き当たり部の隆起肉部と前記プラスチック磁石製プレート部との間に、前記挟み面と該面から反転する面とによって構成される溝状部が備えられており、対をなす他方の挟み体のプラスチック磁石製プレート部における前記第１突き当たり部と反対側の端部が該溝状部に差し入れ得るようにしてあることを特徴とする請求項２に記載の挟み具。
【発明の詳細な説明】
【技術分野】
【０００１】
この発明は、挟み対象物である被挟み物を永久磁石の磁気を利用して容易に挟み込み且つ当該挟み込み状態を容易に解放し得るようにした挟み具の提供に関する。
【背景技術】
【０００２】
各種の使用目的や、使用態様などに対応して各種の挟み具が提供されている。
【０００３】
例えば、開封した袋の開封部分を挟み込んで密封状態にする挟み具として、互いに密着する向きにねじりコイルバネ等のバネを用いて弾発付勢される一対の挟み片を当該付勢に抗して引き離し状態にして当該挟み片間に前記開封部分を入れ込み且つ当該付勢に抗する力を解くことによって該挟み片間に前記開封部分を挟み付けるようにした挟み具がある。
【０００４】
しかしながら、かかるバネを用いた挟み具にあっては、当該挟み具が多くの部材によって構成されており、部材コストや組み付けコストが割高となり、しかも、構成される挟み具が嵩張る傾向にあり、また、当該挟み具の使用に際して前記バネの弾発に抗した当該挟み片の引き離し操作を要すると共に挟み込みに所要の動作空間を必要としていた。
【発明の開示】
【発明が解決しようとする課題】
【０００５】
この発明が解決しようとする主たる問題点は、開封した袋などの被挟み物の挟み込みに用いられるバネ付勢による挟み具における不具合、例えば、多くの構成部品を必要とされる不具合や、多くの組み付け手間を要請される不具合や、使用時において所要の握力を要請される不具合や、相応の動作空間が必要とされ且つ挟み具が嵩張った構成とされる不具合などを解消する点にある。
【課題を解決するための手段】
【０００６】
前記課題を解決するために、この発明に係る挟み具は、被挟み物を挟む一対の挟み体からなる挟み具であって、この挟み具を構成する対をなす挟み体が、互いに向き合って吸引し合う挟み面に順次に極性を異ならした複数の磁極を連続状態に備えたプラスチック磁石製プレート部と、この挟み体の少なくとも一方を前記挟み面間に被挟み物を挟み入れて前記磁極の連続する向きの一方向に向けて移動した際に互いに突き当たる突き当たり部とを備えており、
この互いの突き当たり部の突き当たり状態において該対をなす一方の挟み体の挟み面の各磁極の極性と該磁極にそれぞれ向き合う他方の挟み体の挟み面の磁極の極性とが異なるようにしてあることを特徴とするものとした。
【０００７】
かかる構成の挟み具にあっては、挟み体による被挟み物の挟み込み及び挟み込み状態の解放に際して機械的な動作部分がなく、被挟み物を各挟み面間に挟み入れると共に各挟み体の突き当たり部を相互に突き当たり状態とすることによって当該挟み体相互の吸引作用によって被挟み物を容易に所定の面間で確実に挟み込み状態にし、また、各挟み体を引き離すことによって当該挟み込み状態を容易に解除することができる。
【０００８】
また、前記構成に係る挟み具にあって、前記挟み体が長尺状とされており、その一端側に第１突き当たり部を他端側に第２突き当たり部を備えていると共に該第１突き当たり部と第２突き当たり部との間が薄肉の長方体状をなすプラスチック磁石製プレート部としてあり該プラスチック磁石製プレート部における挟み面の長手方向に向けて順次に極性を異ならした複数の磁極が連続状態に備えられており、
しかも、前記第１突き当たり部が前記挟み面側に隆起する隆起肉部を備えた厚肉状部としてあると共に、前記プラスチック磁石製プレート部における前記第１突き当たり部と反対側端が第２突き当たり部としてあることを特徴とする挟み具では、一方の挟み体の第１突き当たり部をなす隆起肉部に他方挟み体における第２突き当たり部をなすプラスチック磁石製プレート部の側端を容易且つ確実に突き当て状態にして用いることができる。
【０００９】
また、前記構成に係る挟み具にあって、前記第１突き当たり部の隆起肉部と前記プラスチック磁石製プレート部との間に、前記挟み面と該面から反転する面とによって構成される溝状部が備えられており、対をなす他方の挟み体のプラスチック磁石製プレート部における前記第１突き当たり部と反対側の端部が該溝状部に差し入れ得るようにしてあることを特徴とする挟み具では、一方の挟み体における溝状部に対する他方挟み体における前記プラスチック磁石製プレート部の端部の差し入れによって当該差し入れ状態にある挟み体が互いの挟み面を引き離す向きに移動するのを防ぐことができる。
【発明の効果】
【００１０】
この発明に係る挟み具は、嵩張りの無い一対の挟み体間に被挟み物をたんに挟み入れることのみによって当該挟み体相互の吸引作用で被挟み物を確実に挟み、開封した袋などを容易に密閉状態に維持できる効果を有している。
【発明を実施するための最良の形態】
【００１１】
以下、この発明を実施するための最良の形態に係る挟み具について詳細に説明する。
【００１２】
図１〜図５は、この発明を実施するための第１の最良の形態に係る挟み具Ａを、図６は、当該発明を実施するための第２の最良の形態に係る挟み具Ａを示している。
【００１３】
この発明の最良の形態に係る挟み具Ａは、被挟み物Ｂを挟む一対の挟み体１０からなる挟み具Ａであって、この挟み具Ａを構成する対をなす挟み体１０が、互いに向き合って吸引し合う挟み面２０ａに順次に極性を異ならした複数の磁極を連続状態に備えたプラスチック磁石製プレート部２０と、この挟み体１０の少なくとも一方を前記挟み面２０ａ間に被挟み物Ｂを挟み入れて前記磁極の連続する向きの一方向に向けて移動した際に互いに突き当たる突き当たり部３０とを備えており、
この互いの突き当たり部３０の突き当たり状態において該対をなす一方の挟み体１０の挟み面２０ａの各磁極の極性と該磁極にそれぞれ向き合う他方の挟み体１０の挟み面２０ａの磁極の極性とが異なるように構成してある。なお、この図示例にあっては、前記磁極のＮ極をＮ、Ｓ極をＳとして図示してある。
【００１４】
かかる構成の挟み具Ａにあっては、挟み体１０による被挟み物Ｂの挟み込み及び挟み込み状態の解放に際して機械的な動作部分がなく、被挟み物Ｂを各挟み面２０ａ間に挟み入れると共に各挟み体１０の突き当たり部３０を相互に突き当たり状態とすることによって当該挟み体１０相互の吸引作用によって被挟み物Ｂを容易に所定の面間で確実に挟み込み状態にし、また、各挟み体１０を引き離すことによって当該挟み込み状態を容易に解除することができる。
【００１５】
また、前記構成に係る挟み具Ａにあって、前記挟み体１０が長尺状とされており、その一端側１０ａに第１突き当たり部３１を他端側１０ｂに第２突き当たり部３２を備えていると共に該第１突き当たり部３１と第２突き当たり部３２との間が薄肉の長方体状をなすプラスチック磁石製プレート部２０としてあり該プラスチック磁石製プレート部２０における挟み面２０ａの長手方向に向けて順次に極性を異ならした複数の磁極が連続状態に備えられており、
しかも、前記第１突き当たり部３１が前記挟み面２０ａ側に隆起する隆起肉部３１”を備えた厚肉状部３１ａとしてあると共に、前記プラスチック磁石製プレート部２０における前記第１突き当たり部３１と反対側端２０ｃ’が第２突き当たり部３２としてあることを特徴とする挟み具Ａでは、一方の挟み体１０の第１突き当たり部３１をなす隆起肉部３１ａ”に他方挟み体１０における第２突き当たり部３２をなすプラスチック磁石製プレート部２０の側端２０ｃ’を容易且つ確実に突き当て状態にして用いることができる。
【００１６】
また、前記構成に係る挟み具Ａにあって、前記第１突き当たり部３１の隆起肉部３１ａ”と前記プラスチック磁石製プレート部２０との間に、前記挟み面２０ａと該面２０ａから反転する面３１ｂ”とによって構成される溝状部３１ｂ’が備えられており、対をなす他方の挟み体１０のプラスチック磁石製プレート部２０における前記第１突き当たり部３１と反対側の端部２０ｃが該溝状部３１ｂ’に差し入れ得るようにしてあることを特徴とする挟み具Ａでは、一方の挟み体１０における溝状部３１ｂ’に対する他方挟み体１０における前記プラスチック磁石製プレート部２０の端部２０ｃの差し入れによって当該差し入れ状態にある挟み体１０が互いの挟み面２０ａを引き離す向きに移動するのを防ぐことができる。
【００１７】
（１）  図１〜図５に示される当該発明を実施するための典型的な第１の最良の形態に係る挟み具Ａについて説明する。
【００１８】
この図１〜図５に示される典型的な第１の最良の形態に係る挟み具Ａは、被挟み物Ｂを挟む一対の挟み体１０によって構成してある。そして、この挟み具Ａを構成する対をなす挟み体１０が、互いに向き合って吸引し合う挟み面２０ａに順次に極性を異ならした複数の磁極を連続状態に備えたプラスチック磁石製プレート部２０と、この挟み体１０の少なくとも一方を前記挟み面２０ａ間に被挟み物Ｂを挟み入れて前記磁極の連続する向きの一方向に向けて移動した際に互いに突き当たる突き当たり部３０とを備えており、
この互いの突き当たり部３０の突き当たり状態において該対をなす一方の挟み体１０の挟み面２０ａの各磁極の極性と該磁極にそれぞれ向き合う他方の挟み体１０の挟み面２０ａの磁極の極性とが異なるように構成してある。
【００１９】
そして、この図示例に係る挟み具Ａは、前記挟み体１０を、その一端側１０ａに第１突き当たり部３１を他端側１０ｂに第２突き当たり部３２を備えた長尺状の挟み体１０、すなわち、該挟み体１０における一方の短手方向に沿った縁側に第１突き当たり部３１を、他方の短手方向に沿った縁側に第２突き当たり部３２を備えた長尺状の挟み体１０としてあり該第１突き当たり部３１と第２突き当たり部３２との間が薄肉の長方体状をなすプラスチック磁石製プレート部２０としてあり、これらのプラスチック磁石製プレート部２０と前記第１突き当たり部３１と第２突き当たり部３２とをプラスチック成形によって一体に構成した当該挟み体１０を対として用意し、当該挟み体１０におけるプラスチック磁石製プレート部２０における挟み面２０ａの長手方向に向けて順次に極性を異ならした複数の磁極を連続状態に備えた構成としてあり、この第１突き当たり部３１と第２突き当たり部３２との突き当たり状態において該対をなす一方の挟み体１０の挟み面２０ａの各磁極の極性と該磁極にそれぞれ向き合う他方の挟み体１０の挟み面２０ａの磁極の極性とが異なるように構成してある。
【００２０】
かかる図示例に係る挟み具Ａは、更に具体的には、前記第１突き当たり部３１が前記挟み面２０ａ側に隆起する隆起肉部３１ａ”を備えた厚肉状部３１ａとしてあると共に、前記プラスチック磁石製プレート部２０における該第１突き当たり部３１と反対側端２０ｃ’が第２突き当たり部３２としてあり、対をなす一方の挟み体１０における第１突き当たり部３１である隆起肉部３１ａ”に対して他方の挟み体１０における第２突き当たり部３２とされる前記側端２０ｃ’が突き当てられ得るようにしてある。そして、前記第１突き当たり部３１の隆起肉部３１ａ”とプラスチック磁石製プレート部２０との間に、前記挟み面２０ａと該面２０ａから反転する面３１ｂ”とによって構成される溝状部３１ｂ’が備えられており、対をなす他方の挟み体１０のプラスチック磁石製プレート部２０における第１突き当たり部３１と反対側の端部２０ｃが該溝状部３１ｂ’に差し入れ得るようにしてある。
【００２１】
かかる挟み具Ａは、典型的には、当該挟み具Ａを構成する各挟み体１０が同一形状で且つ同一寸法に構成してあり、互いの挟み面２０ａを向き合わせの状態にした際に、互いの溝状部３１ｂ’にそれぞれ他方挟み体１０の端部２０ｃを差し入れ状態とすることができ、しかも、この状態で、互いの隆起肉部３１ａ”にそれぞれ他方挟み体１０における第２突き当たり部３２とされる側端２０ｃ’を突き当て状態にし得るようにしてある。
【００２２】
このように対をなす挟み体１０を互いの挟み面２０ａを向き合わせの状態にして一方の挟み体１０における第１突き当たり部３１に他方の挟み体１０における第２突き当たり部３２を突き当て状態とした際に、この対をなす挟み体１０、１０の互いに向き合う磁極の極性が異なるようにしてあり、当該対をなす挟み体１０、１０は互いに強く吸引し合う状態とされる。そして、一方の挟み体１０における溝状部３１ｂ’に他方の挟み体１０における端部２０ｃを差し入れ状態にした際に、対をなす当該挟み体１０、１０は、その挟み面２０ａの互いに離れ出す向き向けた動きを封じられる。
【００２３】
この図示例に係る挟み体１０を構成する第１突き当たり部３１は、より具体的には、前記プラスチック磁石製プレート部２０から連続される延設肉部３１ａ’と、前記挟み面２０ａ側に隆起するように該延設肉部３１ａ’に連続して備えられている隆起肉部３１ａ”とを備えた厚肉状部３１ａを有し、この厚肉状部３１ａと前記プラスチック磁石製プレート部２０との間に、前記挟み面２０ａと該面２０ａから反転する面３１ｂ”、より具体的には該挟み面２０ａの一部をなす面２０ａ’と、該面２０ａ’から反転するように前記隆起肉部３１ａ”に傾斜状に備えられている面３１ｂ”とにより溝状部３１ｂ’が設けてある。そして、この溝状部３１ｂ’の備えられる隆起肉部３１ａ”における傾斜状の面３１ｂ”を構成する当該隆起肉部３１ａ”が、厚肉状部３１ａ側からプラスチック磁石製プレート部２０の側に向けて突き出す掛合部３１ｂとしてある。かかる第１突き当たり部３１に備えられている掛合部３１ｂによって、一方挟み体１０における溝状部３１ｂ’に他方挟み体１０における第２突き当たり部３２の端部２０ｃを差し入れ状態とした際に、これらの対をなす挟み体１０は互いの挟み面２０ａを引き離すように動かし得なくなり、その吸着状態が安定に維持される。
【００２４】
また、当該図示例に係る挟み体１０の第２突き当たり部３２は、前記プラスチック磁石製プレート部２０における第１突き当たり部３１の備えられている側と反対の側を当該第２突き当たり部３２として構成してある。より具体的には、プラスチック磁石製プレート部２０における挟み面２０ａ側を突端状をなす側端２０ｃ’とし、この突端状の側端２０ｃ’から当該プラスチック磁石製プレート部２０の他方端側に向けて漸次厚肉となる傾斜面２０ｃ”を当該プラスチック磁石製プレート部２０の背面２０ｂ側に備えた差入れ端部２０ｃを備える構成としてある。
【００２５】
かかる第２突き当たり部３２をなす端部２０ｃは、対をなす他方の挟み体１０における溝状部３１ｂ’に対して、都合よく差し入れ係合し得る構成としてあり、より典型的には、当該対をなす一方の挟み体１０における第２突き当たり部３２をなす端部２０ｃが他方挟み体１０における第１突き当たり部３１の溝状部３１ｂ’に密に差し入れ得るように構成してあり、更に典型的には、前記プラスチック磁石製プレート部２０の挟み面２０ａの面２０ａ’と該面２０ａ’から反転する面３１ｂ”とのなす角内に、前記端部２０ｃにおける挟み面２０ａと傾斜面２０ｃ”のなす角が密に納まり得るように構成してある。
【００２６】
なお、この図示例にあっては、前記挟み体１０における厚肉状部３１ａから、該挟み体１０の幅方向に向けて突き出すように隆起部３１ｃが設けてあり、この一対の隆起部３１ｃを指間に挟み持つようにして、対をなして用いられる当該挟み体１０を互いに重ね合わせの状態に移動したり、当該重ね合わせの状態にある挟み体１０を引き離し方向に引き離すように用いることができる。なお、この対をなす各挟み体１０は、互いに挟み面２０ａを向き合わせ状態にして移動させることにより一方の挟み体１０における第１突き当たり部３１に対して他方の挟み体１０における第２突き当たり部３２を突き当て状態にして用いてもよく、また、一方の挟み体１０における溝状部３１ｂ’に他方の挟み体１０における端部２０ｃを、その幅側端から入れ込むようにして当該一方の挟み体１０における第１突き当たり部３１に対して他方の挟み体１０における第２突き当たり部３２を突き当て状態にしながら各挟み体１０における挟み面２０ａを順次に重ね合わせの状態にするようにして用いてもよい。また、前記挟み面２０ａを向き合わせの状態にして用いられている挟み体１０は、互いの第１突き当たり部３１、３１を引き離すようにして被挟み物Ｂに対する挟みつけ状態を解放してもよく、また、一方の挟み体１０における幅方向に他方の挟み体１０を移動することによって当該挟み体１０間に挟みつけていた被挟み物Ｂに対する当該挟み体１０による挟みつけを解放するようにして用いてもよい。
【００２７】
この図示例にあっては、かかるプラスチック磁石製プレート部２０及び第１突き当たり部３１並びに第２突き当たり部３２を備えた各挟み体１０を、それぞれプラスチック成形によって一体のものとして構成し、その各プラスチック磁石製プレート部２０の挟み面２０ａの長手方向に順次に極性を異ならして複数の磁極を備えた構成としてあり、この図示例にあっては当該プラスチック磁石製プレート部２０及び第１突き当たり部３１並びに第２突き当たり部３２とを一体に備えた２個の挟み体１０、１０を、同一形状、同一寸法のものとして用意してある。そして、この２個の同一形状、同一寸法をなす挟み体１０を、互いの挟み面２０ａを向き合わせるようにして、その一方の挟み体１０における第２突き当たり部３２をなす端部２０ｃを、他方の挟み体１０における第１突き当たり部３１の溝状部３１ｂ’に入れ込み係合状態にして用い得るようにしてあり、当該対をなす各挟み体１０における挟み面２０ａを向き合わせると共に、前記一方の挟み体１０における第２突き当たり部３２とされる側端２０ｃ’を、他方の挟み体１０における第１突き当たり部３１の溝状部３１ｂ’内に突き当てた際に、この各挟み体１０において互いに向き合い状態とされる各磁極の極性が互いに異なるようにしてあり、当該挟み面２０ａの当該向き合わせ使用の状態において挟み体１０が相互に効果的に吸引し合うように構成してある。
【００２８】
かかる図示例に係る挟み体１０にあっては、これをプラスチック成形によって構成する際には、一種類の成形型によって着磁前の当該挟み体１０を成形し、この着磁前の各挟み体１０に対して、前記対をなして用い得る１組の挟み体１０を構成し得るように着磁し、一方の挟み体１０における第２突き当たり部３２をなす端部２０ｃを、他方の挟み体１０における第１突き当たり部３１の溝状部３１ｂ’に差し入れ突き当てた際に、この各挟み体１０において互いに向き合い状態とされる各磁極の極性が互いに異なるように各挟み体１０に磁極を設けて当該挟み具Ａを構成することができる。
【００２９】
なお、ここで構成される挟み具Ａは、その全体を、ナイロン系、エポキシ系、ビニル系などの熱可塑性、熱硬化性樹脂に磁石粉末を分散させて成形したプラスチック成形物であっても、また、前記プラスチック磁石製プレート部２０をナイロン系、エポキシ系、ビニル系などの熱可塑性、熱硬化性樹脂に磁石粉末を分散させて成形したプラスチック成形物とし、その他の部分を当該磁石粉末を含まないプラスチック材によって成形してあってもよい。
【００３０】
また、ここで構成される挟み体１０は、前記プラスチック磁石製プレート部２０における挟み面２０ａの長さ方向に順次に極性を異ならせるようにした複数の磁極を連続状態に備えておればよく、当該挟み面２０ａ以外の部分に更に磁極を備えた構成の挟み体１０であってもよい。
【００３１】
なお、この図示例に係る挟み具Ａは、被挟み物Ｂを挟む一対の挟み体１０における互いに向き合って吸引し合う挟み面２０ａに面方向着磁によって順次に極性を異ならした複数の磁極を連続状態に備えた挟み体１０によって構成してあり、このプラスチック磁石製プレート部２０に備えられる磁極が、一方の挟み体１０における第１突き当たり部３１に他方挟み体１０における第２突き当たり部３２を突き当て状態とした際に、当該各挟み体１０におけるそれぞれに向き合う挟み面２０ａで互いに向き合う磁極が互いに極性を異にするように当該挟み面２０ａに面方向着磁により構成してある。
【００３２】
（２）  図６に示される当該発明を実施するための典型的な第２の最良の形態に係る挟み具Ａについて説明する。
【００３３】
この図６に示される典型的な第２の最良の形態に係る挟み具Ａは、被挟み物Ｂを挟む一対の挟み体１０によって構成してある。そして、この挟み具Ａを構成する対をなす挟み体１０が、互いに向き合って吸引し合う挟み面２０ａに順次に極性を異ならした複数の磁極を連続状態に備えたプラスチック磁石製プレート部２０と、この挟み体１０の少なくとも一方を前記挟み面２０ａ間に被挟み物Ｂを挟み入れて前記磁極の連続する向きの一方向に向けて移動した際に互いに突き当たる突き当たり部３０とを備えており、
この互いの突き当たり部３０の突き当たり状態において該対をなす一方の挟み体１０の挟み面２０ａの各磁極の極性と該磁極にそれぞれ向き合う他方の挟み体１０の挟み面２０ａの磁極の極性とが異なるように構成してあって、
前記プラスチック磁石製プレート部２０に備えられる磁極が、薄肉の長方体状をなす当該プラスチック磁石製プレート部２０の厚さ方向の着磁によって当該プラスチック磁石製プレート部２０における挟み面２０ａに設けてある。
【００３４】
この図６に示される第２の最良の形態に係る挟み具Ａは、当該挟み具Ａに備えられる磁極がプラスチック磁石製プレート部２０の厚さ方向着磁によって、当該プラスチック磁石製プレート部２０における挟み面２０ａの長手方向に向けて順次に極性を異ならせるように複数設けられている以外の構成を前記第１の最良の形態に係る挟み具Ａの構成と同一又は実質的に同一の構成としてあり、当該第１の最良の形態に係る挟み具Ａと同様にして用い得ると共に同様の効果を奏し得るものであり、前記第１の最良の形態に係る挟み具Ａと同一又は実質的に同一の部分に同一の番号を付して、その説明を省略する。
【図面の簡単な説明】
【００３５】
【図１】典型的な挟み具を構成する挟み体の斜視図
【図２】同挟み具における挟み面を向き合わせた状態を示す断面図
【図３】同挟み具を用いて被挟み物を挟み入れる前の状態を示す斜視図
【図４】同挟み具を用いて被挟み物を挟み入れた状態を示す斜視図
【図５】図４におけるＹ−Ｙ線矢視断面図
【図６】他の典型的な挟み具における挟み面を向き合わせた状態を示す断面図
【符号の説明】
【００３６】
Ａ  挟み具
Ｂ  被挟み物
１０  挟み体
２０  プラスチック磁石製プレート部
２０ａ  挟み面
２０ｃ  端部
３０  突き当たり部
３１  第１突き当たり部
３１ａ  厚肉状部
３１ａ”  隆起肉部
３１ｂ’  溝状部
３２  第２突き当たり部
【図１】
2005335769.tif 000003
【図２】
2005335769.tif 000004
【図３】
2005335769.tif 000005
【図４】
2005335769.tif 000006
【図５】
2005335769.tif 000007
【図６】
2005335769.tif 000008